(57)【要約】【課題】表示品質を確保しつつ、ＤＣバランスを確保することにより信頼性を向上させることができる電気泳動表示パネルの駆動方法、電気泳動表示装置及び電子機器を提供すること。【解決手段】共通電極が形成された共通電極層と、駆動電極が形成された駆動電極層と、共通電極層と駆動電極層との間に設けられた電気泳動表示層とを含み、共通電極と駆動電極とに挟まれた電気泳動表示層を表示領域とし、共通電極と駆動電極との電位差に基づく書き込みパルスが印加されることにより表示領域の表示色が制御される電気泳動表示パネルの駆動方法であって、全ての表示領域に書き込みパルスを印加する全面書き込み工程（Ｓ１００）と、一部の表示領域に書き込みパルスを印加する部分書き込み工程（Ｓ１０２）と、電気泳動表示パネルに表示されている内容を反転した内容を表示させるように全ての表示領域に書き込みパルスを印加する反転書き込み工程（Ｓ１０４）とを含む。【選択図】図５
2011095479.tif 000002
【特許請求の範囲】
【請求項１】
共通電極が形成された共通電極層と、駆動電極が形成された駆動電極層と、前記共通電極層と前記駆動電極層との間に設けられた電気泳動表示層とを含み、前記共通電極と前記駆動電極とに挟まれた前記電気泳動表示層を表示領域とし、前記共通電極と前記駆動電極との電位差に基づく書き込みパルスが印加されることにより前記表示領域の表示色が制御される電気泳動表示パネルの駆動方法であって、
全ての前記表示領域に前記書き込みパルスを印加する全面書き込み工程と、
一部の前記表示領域に前記書き込みパルスを印加する部分書き込み工程と、
前記電気泳動表示パネルに表示されている内容を反転した内容を表示させるように全ての前記表示領域に前記書き込みパルスを印加する反転書き込み工程とを含む、電気泳動表示パネルの駆動方法。
【請求項２】
請求項１に記載の電気泳動表示パネルの駆動方法において、
前記反転書き込み工程の後に、前記反転書き込み工程の直前に前記電気泳動表示パネルに表示されていた内容とは異なる内容を表示させるように前記全面書き込み工程を行う、電気泳動表示パネルの駆動方法。
【請求項３】
請求項１及び２のいずれかに記載の電気泳動表示パネルの駆動方法において、
前記全面書き込み工程は、
前記表示領域に第１色及び第２色を書き込む前記書き込みパルスを印加する工程と、
前記第１色が表示されている前記表示領域に、前記第１色と前記第２色との中間色を書き込む前記書き込みパルスを印加する工程とを含み、
前記反転書き込み工程は、
前記表示領域に第１色及び第２色を書き込む前記書き込みパルスを印加する工程と、
前記第２色が表示されている前記表示領域に、前記第１色と前記第２色との中間色を書き込む前記書き込みパルスを印加する工程とを含む、電気泳動表示パネルの駆動方法。
【請求項４】
請求項１ないし３のいずれかに記載の電気泳動表示パネルの駆動方法において、
前記全面書き込み工程の後に、前記部分書き込み工程を複数回繰り返す、電気泳動表示パネルの駆動方法。
【請求項５】
請求項４に記載の電気泳動表示パネルの駆動方法において、
直前に表示されていた内容の一部を打ち消す内容を書き込む前記部分書き込み工程と、その後に新たな内容の一部を書き込む前記部分書き込み工程とを行う、電気泳動表示パネルの駆動方法。
【請求項６】
共通電極が形成された共通電極層と、駆動電極が形成された駆動電極層と、前記共通電極層と前記駆動電極層との間に設けられた電気泳動表示層とを含み、前記共通電極と前記駆動電極とに挟まれた前記電気泳動表示層を表示領域とし、前記共通電極と前記駆動電極との電位差に基づく書き込みパルスが印加されることにより前記表示領域の表示色が制御される電気泳動表示パネルと、
前記電気泳動表示パネルを制御する制御部とを含み、
前記制御部は、
全ての前記表示領域に前記書き込みパルスを印加する全面書き込み処理と、
一部の前記表示領域に前記書き込みパルスを印加する部分書き込み処理と、
前記電気泳動表示パネルに表示されている内容を反転した内容を表示させるように全ての前記表示領域に前記書き込みパルスを印加する反転書き込み処理とを行う、電気泳動表示装置。
【請求項７】
請求項６に記載の電気泳動表示装置において、
前記制御部は、
前記反転書き込み処理の後に、前記反転書き込み処理の直前に前記電気泳動表示パネルに表示されていた内容とは異なる内容を表示させるように前記全面書き込み処理を行う、電気泳動表示装置。
【請求項８】
請求項６及び７のいずれかに記載の電気泳動表示装置において、
前記制御部は、
前記全面書き込み処理において、
前記表示領域に第１色及び第２色を書き込む前記書き込みパルスを印加する処理と、
前記第１色が表示されている前記表示領域に、前記第１色と前記第２色との中間色を書き込む前記書き込みパルスを印加する処理とを行い、
前記反転書き込み処理において、
前記表示領域に第１色及び第２色を書き込む前記書き込みパルスを印加する処理と、
前記第２色が表示されている前記表示領域に、前記第１色と前記第２色との中間色を書き込む前記書き込みパルスを印加する処理とを行う、電気泳動表示装置。
【請求項９】
請求項６ないし８のいずれかに記載の電気泳動表示装置において、
前記制御部は、
前記全面書き込み処理の後に、前記部分書き込み処理を複数回繰り返す、電気泳動表示装置。
【請求項１０】
請求項９に記載の電気泳動表示装置において、
前記制御部は、
直前に表示されていた内容の一部を打ち消す内容を書き込む前記部分書き込み処理と、その後に新たな内容の一部を書き込む前記部分書き込み処理とを行う、電気泳動表示装置。
【請求項１１】
請求項６ないし１０のいずれかに記載の電気泳動表示装置において、
前記制御部は、
前記電気泳動表示パネルに時刻を表示させ、
前記時刻の分の１桁目が１〜９の範囲で変わるタイミングに基づいて前記部分書き込み処理を行い、
前記時刻の分の１桁目が０に変わるタイミングに基づいて前記全面書き込み処理及び前記反転書き込み処理を行う、電気泳動表示装置。
【請求項１２】
請求項６ないし１１のいずれかに記載の電気泳動表示装置を含む、電子機器。
【発明の詳細な説明】
【技術分野】
【０００１】
本発明は、電気泳動表示パネルの駆動方法、電気泳動表示装置及び電子機器等に関する。
【背景技術】
【０００２】
近年、電子ペーパーやフレキシブルディスプレイなど、紙媒体を代表とするハードコピーの長所を取り入れた新たな電気泳動表示装置の開発が進められている。電気泳動表示装置は、現在のパソコン等の表示デバイスとして用いられているＣＲＴ（Cathode Ray Tube）やＬＣＤ（Liquid Crystal Display）と比較して視認性がよく目が疲れにくいことや曲げることができ携帯性に優れていることを特徴とする。
【０００３】
電気泳動表示装置を長期間使用すると、電気泳動表示パネルの電極間に印加される電界の方向が偏る（すなわち、ＤＣバランスが崩れる）ことが原因で、当該電極が電気分解を起こして剥がれる等の現象が発生する可能性があることがわかってきた（特許文献１）。
【先行技術文献】
【特許文献】
【０００４】
【特許文献１】特表２００５−５３０２０１号公報
【発明の概要】
【発明が解決しようとする課題】
【０００５】
電気泳動表示パネルでは、全ての表示領域の表示内容を書き換えるのみならず、一部の表示領域の表示内容のみを書き換えることが可能である。しかし、長時間にわたって表示内容を書き換えない表示領域の表示品質は、時間とともに徐々に劣化する傾向にある。
【０００６】
また、電気泳動表示パネルの信頼性の観点から、表示内容の書換え頻度が高い表示領域でも低い表示領域でもＤＣバランスを確保して制御することが好ましい。
【０００７】
本発明は、以上のような問題点に鑑みてなされたものであり、本発明のいくつかの態様によれば、表示品質を確保しつつ、ＤＣバランスを確保することにより信頼性を向上させることができる電気泳動表示パネルの駆動方法、電気泳動表示装置及び電子機器を提供することができる。
【課題を解決するための手段】
【０００８】
（１）本発明に係る電気泳動表示パネルの駆動方法は、
共通電極が形成された共通電極層と、駆動電極が形成された駆動電極層と、前記共通電極層と前記駆動電極層との間に設けられた電気泳動表示層とを含み、前記共通電極と前記駆動電極とに挟まれた前記電気泳動表示層を表示領域とし、前記共通電極と前記駆動電極との電位差に基づく書き込みパルスが印加されることにより前記表示領域の表示色が制御される電気泳動表示パネルの駆動方法であって、
全ての前記表示領域に前記書き込みパルスを印加する全面書き込み工程と、
一部の前記表示領域に前記書き込みパルスを印加する部分書き込み工程と、
前記電気泳動表示パネルに表示されている内容を反転した内容を表示させるように全ての前記表示領域に前記書き込みパルスを印加する反転書き込み工程とを含む。
【０００９】
セグメント方式の電気泳動表示パネルの場合、駆動電極はセグメント電極に対応する。また、アクティブマトリックス方式の電気泳動表示パネルの場合、駆動電極は画素電極に対応する。
【００１０】
本発明によれば、電気泳動表示パネルに表示されている内容を反転した内容を表示させるように全ての表示領域に書き込みパルスを印加する反転書き込み工程を有することにより、表示品質を確保しつつ、ＤＣバランスを確保することにより電気泳動表示パネルの信頼性を向上させることができる。
【００１１】
（２）この電気泳動表示パネルの駆動方法は、
前記反転書き込み工程の後に、前記反転書き込み工程の直前に前記電気泳動表示パネルに表示されていた内容とは異なる内容を表示させるように前記全面書き込み工程を行ってもよい。
【００１２】
本発明によれば、表示品質を確保しつつ、ＤＣバランスを確保することにより電気泳動表示パネルの信頼性を向上させることができる。
【００１３】
（３）この電気泳動表示パネルの駆動方法は、
前記全面書き込み工程は、
前記表示領域に第１色及び第２色を書き込む前記書き込みパルスを印加する工程と、
前記第１色が表示されている前記表示領域に、前記第１色と前記第２色との中間色を書き込む前記書き込みパルスを印加する工程とを含み、
前記反転書き込み工程は、
前記表示領域に第１色及び第２色を書き込む前記書き込みパルスを印加する工程と、
前記第２色が表示されている前記表示領域に、前記第１色と前記第２色との中間色を書き込む前記書き込みパルスを印加する工程とを含んでもよい。
【００１４】
本発明によれば、ＤＣバランスを確保しつつ、中間色表示も可能となる。
【００１５】
（４）この電気泳動表示パネルの駆動方法は、
前記全面書き込み工程の後に、前記部分書き込み工程を複数回繰り返してもよい。
【００１６】
（５）この電気泳動表示パネルの駆動方法は、
直前に表示されていた内容の一部を打ち消す内容を書き込む前記部分書き込み工程と、その後に新たな内容の一部を書き込む前記部分書き込み工程とを行ってもよい。
【００１７】
（６）本発明に係る電気泳動表示装置は、
共通電極が形成された共通電極層と、駆動電極が形成された駆動電極層と、前記共通電極層と前記駆動電極層との間に設けられた電気泳動表示層とを含み、前記共通電極と前記駆動電極とに挟まれた前記電気泳動表示層を表示領域とし、前記共通電極と前記駆動電極との電位差に基づく書き込みパルスが印加されることにより前記表示領域の表示色が制御される電気泳動表示パネルと、
前記電気泳動表示パネルを制御する制御部とを含み、
前記制御部は、
全ての前記表示領域に前記書き込みパルスを印加する全面書き込み処理と、
一部の前記表示領域に前記書き込みパルスを印加する部分書き込み処理と、
前記電気泳動表示パネルに表示されている内容を反転した内容を表示させるように全ての前記表示領域に前記書き込みパルスを印加する反転書き込み処理とを行う。
【００１８】
本発明によれば、電気泳動表示パネルに表示されている内容を反転した内容を表示させるように全ての表示領域に書き込みパルスを印加する反転書き込み処理を行うことにより、表示品質を確保しつつ、ＤＣバランスを確保することにより電気泳動表示パネルの信頼性を向上させることができる。
【００１９】
（７）この電気泳動表示装置は、
前記制御部は、
前記反転書き込み処理の後に、前記反転書き込み処理の直前に前記電気泳動表示パネルに表示されていた内容とは異なる内容を表示させるように前記全面書き込み処理を行ってもよい。
【００２０】
本発明によれば、表示品質を確保しつつ、ＤＣバランスを確保することにより電気泳動表示パネルの信頼性を向上させることができる。
【００２１】
（８）この電気泳動表示装置は、
前記制御部は、
前記全面書き込み処理において、
前記表示領域に第１色及び第２色を書き込む前記書き込みパルスを印加する処理と、
前記第１色が表示されている前記表示領域に、前記第１色と前記第２色との中間色を書き込む前記書き込みパルスを印加する処理とを行い、
前記反転書き込み処理において、
前記表示領域に第１色及び第２色を書き込む前記書き込みパルスを印加する処理と、
前記第２色が表示されている前記表示領域に、前記第１色と前記第２色との中間色を書き込む前記書き込みパルスを印加する処理とを行ってもよい。
【００２２】
本発明によれば、ＤＣバランスを確保しつつ、中間色表示も可能となる。
【００２３】
（９）この電気泳動表示装置は、
前記制御部は、
前記全面書き込み処理の後に、前記部分書き込み処理を複数回繰り返してもよい。
【００２４】
（１０）この電気泳動表示装置は、
前記制御部は、
直前に表示されていた内容の一部を打ち消す内容を書き込む前記部分書き込み処理と、その後に新たな内容の一部を書き込む前記部分書き込み処理とを行ってもよい。
【００２５】
（１１）この電気泳動表示装置は、
前記制御部は、
前記電気泳動表示パネルに時刻を表示させ、
前記時刻の分の１桁目が１〜９の範囲で変わるタイミングに基づいて前記部分書き込み処理を行い、
前記時刻の分の１桁目が０に変わるタイミングに基づいて前記全面書き込み処理及び前記反転書き込み処理を行ってもよい。
【００２６】
本発明によれば、時刻表示を行う電気泳動表示パネルにおいて、従来よりも短時間で時刻表示の更新ができ、さらに時刻表示の変化が直感的に判りやすくなる。
【００２７】
（１２）本発明に係る電子機器は、
これらのいずれかの電気泳動表示装置を含む。
【００２８】
本発明によれば、表示品質を確保しつつ、ＤＣバランスを確保することにより電気泳動表示パネルの信頼性を向上させた電子機器が実現できる。
【図面の簡単な説明】
【００２９】
【図１】本実施形態に係る電気泳動表示装置の概略図。
【図２】電気泳動表示パネルの断面の概略図。
【図３】共通電極及び画素電極（駆動電極）に印加される電圧のタイミングチャート。
【図４】図４（Ａ）〜図４（Ｃ）は、電気泳動表示パネルの動作例を示す模式図。
【図５】本実施形態に係る電気泳動表示パネルの駆動方法の制御の一例を示すフローチャート。
【図６】本実施形態に係る電気泳動表示パネルにおける表示例。
【図７】本実施形態における表示例と従来例における表示例とを比較する図。
【図８】本実施形態に係る電気泳動表示パネルにおける表示例。
【図９】図９（Ａ）〜図９（Ｃ）は、本実施形態に係る電子機器の構成例。
【発明を実施するための形態】
【００３０】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００３１】
１．第１実施形態の電気泳動表示パネルの駆動方法、電気泳動表示装置
１−１．電気泳動表示装置の構成
図１は、本実施形態に係る電気泳動表示装置の概略図である。電気泳動表示装置１は電気泳動表示パネル１０と電気泳動表示パネル１０を制御する制御部２０とを含む。以下の説明においては、電気泳動表示パネル１０がアクティブマトリクス方式の電気泳動表示パネルである例を中心に説明するが、セグメント方式の電気泳動表示パネルであってもよい。また、本実施形態においては、表示色として白（第１色）、黒（第２色）及びこれらの中間色を表示する電気泳動表示パネル１０を用いる例について説明するが、第１色及び第２色は黒や白に限らず種々の選択が可能である。
【００３２】
図２は、電気泳動表示パネル１０の断面の概略図である。電気泳動表示パネル１０は、共通電極１１が形成された共通電極層１１０と、駆動電極（画素電極１２Ａ〜１２Ｃ）が形成された駆動電極層１２０と、共通電極層１１０と駆動電極層１２０との間に設けられた電気泳動表示層１３０とを含む。
【００３３】
図２に示す例では、電気泳動表示パネル１０は基板１４上にガラスや樹脂等の透明性材料からなる対向基板１５が対向配置されている。基板１４側には複数の分割電極を構成する画素電極（駆動電極）１２Ａ〜１２Ｃが形成された駆動電極層１２０が配置され、対向基板１５側には光透過率が高く電気抵抗が低いＩＴＯ（Indium Tin Oxide）等の透明伝導材料からなる共通電極１１が形成された共通電極層１１０が配置されている。
【００３４】
さらに、帯電した泳動粒子を含有する電気泳動素子１３１を含む電気泳動表示層１３０が共通電極層１１０と駆動電極層１２０との間に介在させて構成されている。電気泳動素子１３１は、透明のマイクロカプセルの中に透明な分散液と、帯電した泳動粒子としてプラスに帯電した白粒子１３２とマイナスに帯電した黒粒子１３３が封入されている。
【００３５】
電気泳動表示パネル１０は、共通電極１１と駆動電極（画素電極１２Ａ〜１２Ｃ）とに挟まれた電気泳動表示層１３０を表示領域とし、共通電極１１と駆動電極（画素電極１２Ａ〜１２Ｃ）との電位差に基づく書き込みパルスが印加されることにより表示領域の表示色が制御される。
【００３６】
なお、共通電極層１１０、駆動電極層１２０、電気泳動表示層１３０は、不図示の接着材やバインダ材を含んでいてもよい。また、白粒子１３２がマイナスに、黒粒子１３３がプラスに帯電していてもよいが、その場合には後述する電気泳動粒子の電気的な動作は逆になる。
【００３７】
以下、図２では対向基板側からユーザーが表示パターンを認識できるものとして説明するが、本発明の実施形態としては基板１４や基板側の画素電極１２Ａ〜１２Ｃに透明性材料を用いて基板側から表示パターンを認識できてもよい。
【００３８】
図１に示すように、本実施形態においては、電気泳動表示パネル１０は、各画素に対応する画素電極（駆動電極）とＴＦＴ（thin film transistor）素子１０３等を含んだＴＦＴ回路を含んで構成されている。
【００３９】
図１に示すように、制御部２０は、例えば、全面書き込み制御手段２２、部分書き込み制御手段２４、反転書き込み制御手段２６を含んでもよい。さらに、制御部２０は、ＴＦＴ回路の走査線１０１に走査線信号を出力する走査線駆動回路２０１、ＴＦＴ回路のデータ線１０２にデータ線信号を出力するデータ線駆動回路２０２、共通電極１１に駆動信号を印加する共通電極駆動回路２０３を含んでもよい。
【００４０】
制御部２０の全面書き込み制御手段２２は、全ての表示領域に書き込みパルスを印加する全面書き込み処理を行う。全面書き込み制御手段は２２、電気泳動表示パネル１０の共通電極に対して共通電極駆動パルスを印加したり、電気泳動表示パネル１０の画素電極（駆動電極）１２Ａ〜１２Ｃに対して処理に応じた電圧パルスを印加したりすることにより、共通電極１１と駆動電極（画素電極１２Ａ〜１２Ｃ）との電位差に基づく書き込みパルスを表示領域に印加する。
【００４１】
制御部２０の部分書き込み制御手段２４は、一部の表示領域に書き込みパルスを印加する部分書き込み処理を行う。部分書き込み制御手段は２４、電気泳動表示パネル１０の共通電極に対して共通電極駆動パルスを印加したり、電気泳動表示パネル１０の画素電極（駆動電極）１２Ａ〜１２Ｃに対して処理に応じた電圧パルスを印加したりすることにより、共通電極１１と駆動電極（画素電極１２Ａ〜１２Ｃ）との電位差に基づく書き込みパルスを表示領域に印加する。
【００４２】
制御部２０の反転書き込み制御手段２６は、電気泳動表示パネル１０に表示されている内容を反転した内容を表示させるように全ての表示領域に書き込みパルスを印加する反転書き込み処理を行う。反転書き込み制御手段は２６、電気泳動表示パネル１０の共通電極に対して共通電極駆動パルスを印加したり、電気泳動表示パネル１０の画素電極（駆動電極）１２Ａ〜１２Ｃに対して処理に応じた電圧パルスを印加したりすることにより、共通電極１１と駆動電極（画素電極１２Ａ〜１２Ｃ）との電位差に基づく書き込みパルスを表示領域に印加する。
【００４３】
制御部２０は、反転書き込み制御手段２６により反転書き込み処理を行った後に、反転書き込み処理の直前に電気泳動表示パネル１０に表示されていた内容とは異なる内容を表示させるように、全面書き込み制御手段２２により全面書き込み処理を行ってもよい。
【００４４】
制御部２０は、全面書き込み制御手段２２により全面書き込み処理を行った後に、部分書き込み制御手段２４により部分書き込み処理を複数回繰り返して行ってもよい。例えば、制御部２０は、直前に表示されていた内容の一部を打ち消す内容を書き込む部分書き込み処理と、その後に新たな内容の一部を書き込む部分書き込み処理との組み合わせを１セットとして行ってもよい。また、１セットを複数回繰り返してもよい。
【００４５】
制御部２０は、その一部又は全てを半導体集積回路で構成してもよい。また、制御部２０は、専用回路により実現して上述した制御や後述する処理の各種制御を行うようにすることもできるが、例えばＣＰＵ（Central Processing Unit）が不図示の記憶部等に記憶された制御プログラムを実行することによりコンピューターとして機能し、これらの処理の各種制御を行うようにすることもできる。すなわち、制御部２０は、制御プログラムにより、全面書き込み制御手段２２、部分書き込み制御手段２４、反転書き込み制御手段２６として機能するように構成してもよい。
【００４６】
また、時刻表示を行う電気泳動表示パネル１０を含む電気泳動表示装置１では、さらに、時刻表示に必要な情報を与える時計部３０を含んでいてもよい。この場合、制御部２０は、電気泳動表示パネル１０に時刻を表示させ、時刻の分の１桁目が１〜９の範囲で変わるタイミングに基づいて部分書き込み処理を行い、時刻の分の１桁目が０に変わるタイミングに基づいて全面書き込み処理及び反転書き込み処理を行ってもよい。
【００４７】
１−２．電気泳動表示パネルの動作原理
電気泳動表示パネル１０の動作原理について、図３及び図４を用いて説明する。図３は、共通電極１１及び画素電極（駆動電極）１２Ａ〜１２Ｃに印加される電圧のタイミングチャート、図４（Ａ）〜図４（Ｃ）は、電気泳動表示パネル１０の動作例を示す模式図である。図４（Ａ）及び図４（Ｂ）において、黒矢印は黒粒子の移動方向、白抜き矢印は白粒子の移動方向を示す。
【００４８】
図３は、上から順に、共通電極１１、画素電極（駆動電極）１２Ａ、１２Ｂ、１２Ｃに印加される電圧を示している。
【００４９】
図３に示す例では、共通電極１１に対しては、所与の周期でＬｏｗレベル（第１電位）及びＨｉｇｈレベル（第２電位）を繰り返す共通電極駆動パルスが印加されている。画素電極（駆動電極）１２Ａに対しては、Ｌｏｗレベル（第１電位）の電圧が印加されている。画素電極（駆動電極）１２Ｂに対しては、Ｈｉｇｈレベル（第２電位）の電圧が印加されている。画素電極（駆動電極）１２Ｃに対しては、共通電極駆動パルスと同電位のパルスが印加されている。すなわち、画素電極（駆動電極）１２Ｃに対しては、共通電極駆動パルスと同期して、共通電極駆動パルスと同一のパルスが印加されている。
【００５０】
共通電極１１がＨｉｇｈレベル（第２電位）の期間での動作を図４（Ａ）に示す。この期間において、画素電極（駆動電極）１２Ｂ及び１２ＣはＨｉｇｈレベル（第２電位）であるから、共通電極１１と画素電極（駆動電極）１２Ｂとの間、共通電極１１と画素電極（駆動電極）１２Ｃとの間には電位差は生じない。したがって、白粒子も黒粒子も移動しない。よって、画素電極（駆動電極）１２Ｂ及び１２Ｃに対応する電気泳動表示層１３０の表示色は、もとの表示色が維持される。
【００５１】
一方、画素電極（駆動電極）１２ＡはＬｏｗレベル（第１電位）であるから、共通電極１１と画素電極（駆動電極）１２Ａとの間には電位差が生じる。この電位差により発生する電界（これを「正の書き込みパルス」とする）により、本実施の形態においては、プラスに帯電した白粒子が画素電極（駆動電極）１２Ａ側に、マイナスに帯電した黒粒子が共通電極１１側に移動する。したがって、画素電極（駆動電極）１２Ａに対応する電気泳動表示層１３０の表示色は黒側（第２色側）に変化する。
【００５２】
共通電極１１がＬｏｗレベル（第１電位）の期間での動作を図４（Ｂ）に示す。この期間において、画素電極（駆動電極）１２Ａ及び１２ＣはＬｏｗレベル（第１電位）であるから、共通電極１１と画素電極（駆動電極）１２Ａとの間、共通電極１１と画素電極（駆動電極）１２Ｃとの間には電位差は生じない。したがって、白粒子も黒粒子も移動しない。よって、画素電極（駆動電極）１２Ａ及び１２Ｃに対応する電気泳動表示層１３０の表示色は、もとの表示色が維持される。
【００５３】
一方、画素電極（駆動電極）１２ＢはＨｉｇｈレベル（第２電位）であるから、共通電極１１と画素電極（駆動電極）１２Ｂとの間には電位差が生じる。この電位差により発生する電界（これを「負の書き込みパルス」とする）により、本実施の形態においては、プラスに帯電した白粒子が共通電極１１側に、マイナスに帯電した黒粒子が画素電極（駆動電極）１２Ｂ側に移動する。したがって、画素電極（駆動電極）１２Ｂに対応する電気泳動表示層１３０の表示色は白側（第１色側）に変化する。
【００５４】
これらの動作を繰り返すことにより、図４（Ｃ）に示すように、画素電極（駆動電極）１２Ａに対応する電気泳動表示層１３０の表示色を黒（第２色）に、画素電極（駆動電極）１２Ｂに対応する電気泳動表示層１３０の表示色を白（第１色）に、画素電極（駆動電極）１２Ｃに対応する電気泳動表示層１３０の表示色をもとの表示色（図４（Ｃ）では中間色）のままにすることができる。
【００５５】
また、画素電極（駆動電極）１２Ａ〜１２Ｃに印加する第１電位又は第２電位の印加時間を調整したり、これらを組み合わせたりすることにより、電気泳動表示層１３０に複数階調の中間色を表示させることができる。
【００５６】
このように、共通電極１１の電位と画素電極（駆動電極）１２Ａ〜１２Ｃの電位をともに可変にする駆動方法によれば、Ｌｏｗレベル（第１電位）とＨｉｇｈレベル（第２電位）の２値で駆動することができる。また、表示色を黒側（第２色側）に変化させる、表示色を白側（第１色側）に変化させる、表示色を維持するという３通りの制御を、画素電極（駆動電極）ごとに行うことができる。
【００５７】
１−３．電気泳動表示パネルの駆動方法
本実施形態に係る電気泳動表示パネルの駆動方法は、電気泳動表示パネル１０の全ての表示領域に書き込みパルスを印加する全面書き込み工程と、電気泳動表示パネル１０の一部の表示領域に書き込みパルスを印加する部分書き込み工程と、電気泳動表示パネル１０に表示されている内容を反転した内容を表示させるように、電気泳動表示パネル１０の全ての表示領域に書き込みパルスを印加する反転書き込み工程とを含む。
【００５８】
本実施形態においては、制御部２０の全面書き込み制御手段２２、部分書き込み制御手段２４及び反転書き込み制御手段２６に制御された走査線駆動回路２０１、データ線駆動回路２０２及び共通電極駆動回路２０３が、画素電極（駆動電極）と共通電極１１との間に電位差を生じさせることにより書き込みパルスを印加する。
【００５９】
本実施形態において、全面書き込み工程は、制御部２０の全面書き込み制御手段２２が、全ての表示領域に書き込みパルスを印加する全面書き込み処理を行うことにより行われる。また、部分書き込み工程は、制御部２０の部分書き込み制御手段２４が、一部の表示領域に書き込みパルスを印加する部分書き込み処理を行うことにより行われる。また、反転書き込み工程は、制御部２０の反転書き込み制御手段２６が、電気泳動表示パネル１０に表示されている内容を反転した内容を表示させるように全ての表示領域に書き込みパルスを印加する反転書き込み処理を行うことにより行われる。
【００６０】
図５は、本実施形態に係る電気泳動表示パネルの駆動方法の制御の一例を示すフローチャートである。図６は、本実施形態に係る電気泳動表示パネルにおける表示例である。図６に示す表示例は、電気泳動表示パネル１０に時刻の「時」と「分」を表示する例である。図５に示すフローチャートにおいては、時刻の「分」の１桁目が１〜９の範囲で変わるタイミングに基づいて部分書き込み工程を行い、時刻の「分」の１桁目が０に変わるタイミングに基づいて全面書き込み工程及び反転書き込み工程を行う例について示している。
【００６１】
すなわち、図６に示す表示例において、時刻１０時０分０秒となるタイミングで「１０：００」を表す表示例（Ａ）、時刻１０時１分０秒となるタイミングで「１０：０１」を表す表示例（Ｃ）、時刻１０時２分０秒となるタイミングで「１０：０２」を表す表示例（Ｅ）、時刻１０時９分０秒となるタイミングで「１０：０９」を表す表示例（Ｆ）、時刻１０時１０分０秒となるタイミングで「１０：１０」を表す表示例（Ｈ）が電気泳動表示パネル１０に表示されるように、制御部２０が電気泳動表示パネル１０を制御している。
【００６２】
図５に示すフローチャートにおいて、まず、電気泳動表示パネル１０の全ての表示領域に書き込みパルスを印加する全面書き込み工程（ステップＳ１００）を行う。図６に示す表示例では、表示例（Ａ）に示すように、背景を白として、１０時０分を示す「１０：００」を黒文字で表示させる。
【００６３】
次に、電気泳動表示パネル１０の一部の表示領域に書き込みパルスを印加する部分書き込み工程（ステップＳ１０２）を行う。全面書き込み工程（ステップＳ１００）の後に、部分書き込み工程を複数回繰り返して行ってもよい。例えば、直前に表示されていた内容の一部を打ち消す内容を書き込む部分書き込み工程と、その後に新たな内容の一部を書き込む部分書き込み工程との組み合わせを１セットとして行ってもよい。また、１セットを複数回繰り返してもよい。
【００６４】
図６に示す表示例では、まず、表示例（Ａ）の分の１桁目の「０」の黒文字部分に、「０」の白文字を書き込む部分書き込み工程を行うことで、表示例（Ｂ）に示すように、分の１桁目の黒文字を消去する。次に、分の１桁目に「１」の黒文字を書き込む部分書き込み工程を行うことで、表示例（Ｃ）に示すように、背景を白として、１０時１分を示す「１０：０１」を黒文字で表示させる。
【００６５】
同様に、表示例（Ｃ）の分の１桁目の「１」の黒文字部分に、「１」の白文字を書き込む部分書き込み工程を行うことで、表示例（Ｄ）に示すように、分の１桁目の黒文字を消去する。次に、分の１桁目に「２」の黒文字を書き込む部分書き込み工程を行うことで、表示例（Ｅ）に示すように、背景を白として、１０時２分を示す「１０：０２」を黒文字で表示させる。
【００６６】
以後同様に、分の１桁目の黒文字に白文字を書き込むことで黒文字を消去した後に、新たな黒文字を書き込むことで表示内容の更新を繰り返し、表示例（Ｆ）に示すように、背景を白として、１０時９分を示す「１０：０９」を黒文字で表示させる。
【００６７】
次に、電気泳動表示パネル１０に表示されている内容を反転した内容を表示させるように、電気泳動表示パネル１０の全ての表示領域に書き込みパルスを印加する反転書き込み工程（ステップＳ１０４）を行う。
【００６８】
図６に示す表示例では、電気泳動表示パネル１０に表示例（Ｆ）が表示されているので、表示例（Ｆ）を反転し、背景を黒として、１０時９分を示す「１０：０９」を白文字で表示する表示例（Ｇ）を表示させるように反転書き込み工程（ステップＳ１０４）を行う。
【００６９】
次に、反転書き込み工程（ステップＳ１０４）の後に、反転書き込み工程（ステップＳ１０４）の直前に電気泳動表示パネルに表示されていた内容とは異なる内容を表示させるように全面書き込み工程（ステップＳ１００）を行ってもよい。
【００７０】
図６に示す表示例では、反転書き込み工程（ステップＳ１０４）の直前には、背景を白として、１０時９分を示す「１０：０９」を黒文字で表示する表示例（Ｆ）が表示されているので、表示例（Ｆ）とは異なる、背景を白として、１０時１０分を示す「１０：１０」を黒文字で表示する表示例（Ｈ）を表示させるように全面書き込み工程（ステップＳ１００）を行っている。
【００７１】
その後、上述の手順と同様に、電気泳動表示パネル１０の一部の表示領域に書き込みパルスを印加する部分書き込み工程（ステップＳ１０２）以降を繰り返す。
【００７２】
図６に示す表示例では、表示例（Ｈ）の分の１桁目の「０」の黒文字部分に、「０」の白文字を書き込む部分書き込み工程を行うことで、表示例（Ｉ）に示すように、分の１桁目の黒文字を消去する。次に、分の１桁目に「１」の黒文字を書き込む部分書き込み工程を行うことで背景を白として、１０時１分を示す「１０：１１」を黒文字で表示させる（図示せず）。
【００７３】
このように、図５に示す手順を行うことによって、電気泳動表示パネル１０に表示される内容が図６に示す表示例となる場合に、各表示領域においてＤＣバランスが保たれる理由について説明する。なお、既に説明したように、電気泳動表示パネル１０の表示領域に正の書き込みパルスが印加された場合には、表示領域の表示色は黒側に変化し、負の書き込みパルスが印加された場合には、表示領域の表示色は白側に変化するものとする。
【００７４】
まず、図６に示す表示例における背景部分の表示領域について説明する。全面書き込み工程（ステップＳ１００）により、表示例（Ａ）となる場合には、背景部分の表示領域には、負の書き込みパルスが印加される。その後、表示例（Ｂ）〜（Ｆ）へと表示内容が更新されても、部分書き込み工程（ステップＳ１０２）によっては、背景部分の表示領域には書き込みパルスは印加されていない。
【００７５】
その後、表示例（Ｇ）へと表示内容が更新された場合に、反転書き込み工程（ステップＳ１０４）によって、背景部分の表示領域には正の書き込みパルスが印加される。よって、表示例（Ａ）〜（Ｇ）までの間に、正の書き込みパルスが印加される工程が１ステップ、負の書き込みパルスが印加される工程が１ステップ含まれている。したがって、背景部分の表示領域は、表示例（Ａ）〜（Ｇ）までの１０分毎にＤＣバランスを確保している。
【００７６】
次に、図６に示す表示例における、「分」以外の文字部分の表示領域について説明する。全面書き込み工程（ステップＳ１００）により、表示例（Ａ）となる場合には、「分」以外の文字部分の表示領域には、正の書き込みパルスが印加される。その後、表示例（Ｂ）〜（Ｆ）へと表示内容が更新されても、部分書き込み工程（ステップＳ１０２）によっては、「分」以外の文字部分の表示領域には書き込みパルスは印加されていない。
【００７７】
その後、表示例（Ｇ）へと表示内容が更新された場合に、反転書き込み工程（ステップＳ１０４）によって、「分」以外の文字部分の表示領域には負の書き込みパルスが印加される。よって、表示例（Ａ）〜（Ｇ）までの間に、正の書き込みパルスが印加される工程が１ステップ、負の書き込みパルスが印加される工程が１ステップ含まれている。したがって、「分」以外の文字部分の表示領域は、表示例（Ａ）〜（Ｇ）までの１０分毎にＤＣバランスを確保している。
【００７８】
次に、図６に示す表示例における、「分」の文字部分の表示領域について説明する。全面書き込み工程（ステップＳ１００）により、表示例（Ａ）となる場合には、「分」の文字部分の表示領域には、正の書き込みパルスが印加される。その後、表示例（Ｂ）となる場合には、「分」の文字部分の表示領域には、部分書き込み工程（ステップＳ１０２）により、負の書き込みパルスが印加される。したがって、「分」の文字部分の表示領域は、表示例（Ａ）〜（Ｂ）までの１分毎にＤＣバランスを確保している。以後同様に、表示例（Ｃ）〜（Ｄ）までの１分毎、表示例（Ｅ）から「分」の１桁目の「２」が消去される（図示せず）までの１分毎に、ＤＣバランスを確保している。
【００７９】
その後、「分」の１桁目が消去された状態から表示例（Ｆ）となる場合には、「分」の文字部分の表示領域には、部分書き込み工程（ステップＳ１０２）により、正の書き込みパルスが印加される。その後、表示例（Ｇ）へと表示内容が更新された場合に、反転書き込み工程（ステップＳ１０４）によって、「分」の文字部分の表示領域には負の書き込みパルスが印加される。したがって、「分」の文字部分の表示領域は、表示例（Ｆ）〜（Ｇ）までの１分毎にＤＣバランスを確保している。
【００８０】
したがって、電気泳動表示パネル１０の各表示領域は、いずれも表示例（Ａ）〜（Ｇ）までの１０分毎にＤＣバランスを確保している。
【００８１】
このように、電気泳動表示パネルに表示されている内容を反転した内容を表示させるように全ての表示領域に書き込みパルスを印加する反転書き込み工程を有することにより、ＤＣバランスを確保することにより電気泳動表示パネルの信頼性を向上させることができる。また、反転書き込み工程と全面書き込み工程により、表示領域全体について表示を更新するため、表示品質を確保することができる。
【００８２】
加えて、本実施形態と従来例とを比較して、本実施形態のさらなる効果について説明する。図７は、本実施形態における表示例と従来例における表示例とを比較する図である。左側が本実施形態における表示例、右側が従来例における表示例である。図７においては、時刻表示が「９：５９」から「１０：００」に変化する前後についての表示例を示している。また、時刻表示が「１０：００」となるタイミングは、時刻１０時０分０秒のタイミングとなるように制御されている。
【００８３】
従来例における表示例では、背景を白とし、時刻表示「９：５９」を黒文字で表示した後、部分書き込み処理により「分」の１桁目の「９」を消去する。その後、背景を黒とし、時刻表示「１０：００」を白文字で表示した後に、背景を白とし、時刻表示「１０：００」を黒文字で表示する。すなわち、反転表示される内容は、その後に表示される内容を反転した内容である。したがって、背景を白とし、時刻表示「９：５９」を黒文字で表示してから、背景を白とし、時刻表示「１０：００」を黒文字で表示するまでに３ステップ必要となる。
【００８４】
一方、本実施形態における表示例では、背景を白とし、時刻表示「９：５９」を黒文字で表示した後、背景を黒とし、時刻表示「９：５９」を白文字で表示し、その後に、背景を白とし、時刻表示「１０：００」を黒文字で表示する。すなわち、反転表示される内容は、その直前に表示される内容を反転した内容である。したがって、背景を白とし、時刻表示「９：５９」を黒文字で表示してから、背景を白とし、時刻表示「１０：００」を黒文字で表示するまでに２ステップで済む。
【００８５】
このように、本実施形態によれば、時刻表示を行う電気泳動表示パネルにおいて、従来よりも短時間で時刻表示の更新ができる。さらに、従来例に比べて、表示内容が短時間で劇的に変化するので、時刻表示の変化が直感的に判りやすくなる。
【００８６】
なお、前述した白と黒とによる表示を反転した場合、つまり、背景を黒とし、時刻表示を白文字で表示した場合であっても第１実施形態と同様な効果が得られる。
【００８７】
２．第２実施形態の電気泳動表示パネルの駆動方法、電気泳動表示装置
第２実施形態の電気泳動表示パネルの駆動方法及び電気泳動表示装置について、第１実施形態との相違点を中心に説明する。第１実施形態と同一の構成には同一の符号を付し、詳細な説明を省略する。
【００８８】
第２実施形態の電気泳動表示装置の制御部２０は、全面書き込み処理において、表示領域に第１色及び第２色を書き込む前記書き込みパルスを印加する処理と、第１色が表示されている表示領域に、第１色と第２色との中間色を書き込む書き込みパルスを印加する処理とを行い、反転書き込み処理において、表示領域に第１色及び第２色を書き込む書き込みパルスを印加する処理と、第２色が表示されている表示領域に、第１色と第２色との中間色を書き込む書き込みパルスを印加する処理とを行う。
【００８９】
第２実施形態の電気泳動表示パネルの駆動方法は、全面書き込み工程は、表示領域に第１色及び第２色を書き込む書き込みパルスを印加する工程と、第１色が表示されている表示領域に、第１色と第２色との中間色を書き込む前記書き込みパルスを印加する工程とを含み、反転書き込み工程は、表示領域に第１色及び第２色を書き込む書き込みパルスを印加する工程と、第２色が表示されている表示領域に、第１色と第２色との中間色を書き込む書き込みパルスを印加する工程とを含む。
【００９０】
本実施形態においては、第１色を白、第２色を黒とし、第１色と第２色との中間色としてライトグレーとダークグレーを表示する例について、図５及び図８を参照して説明する。
【００９１】
図８は、本実施形態に係る電気泳動表示パネルにおける表示例である。図８に示す表示例は、電気泳動表示パネル１０に時刻の「時」と「分」を黒または白で表示させ、「Ａｌａｒｍ  ｏｆｆ」の文字をダークグレー又はライトグレーで表示させる例である。図５に示すフローチャートにおいては、時刻の「分」の１桁目が１〜９の範囲で変わるタイミングに基づいて部分書き込み工程を行い、時刻の「分」の１桁目が０に変わるタイミングに基づいて全面書き込み工程及び反転書き込み工程を行う例について示している。
【００９２】
すなわち、図８に示す表示例において、時刻１０時０分０秒となるタイミングで「１０：００」を表す表示例（Ｊ）、時刻１０時１分０秒となるタイミングで「１０：０１」を表す表示例（Ｍ）、時刻１０時２分０秒となるタイミングで「１０：０２」を表す表示例（Ｏ）、時刻１０時９分０秒となるタイミングで「１０：０９」を表す表示例（Ｐ）、時刻１０時１０分０秒となるタイミングで「１０：１０」を表す表示例（Ｓ）が電気泳動表示パネル１０に表示されるように、制御部２０が電気泳動表示パネル１０を制御している。
【００９３】
図５に示すフローチャートにおいて、まず、電気泳動表示パネル１０の全ての表示領域に書き込みパルスを印加する全面書き込み工程（ステップＳ１００）を行う。全面書き込み工程においては、表示領域に第１色及び第２色を書き込む書き込みパルスを印加する工程と、第１色が表示されている表示領域に、第１色と第２色との中間色を書き込む前記書き込みパルスを印加する工程とを行う。
【００９４】
図８に示す表示例では、まず、表示例（Ｊ）に示すように、背景を白として、１０時０分を示す「１０：００」を黒文字で表示させる。次に、表示例（Ｋ）に示すように、白で表示されている背景部分の表示領域に、「Ａｌａｒｍ  ｏｆｆ」の文字をダークグレーで表示させる。
【００９５】
次に、電気泳動表示パネル１０の一部の表示領域に書き込みパルスを印加する部分書き込み工程（ステップＳ１０２）を行う。全面書き込み工程（ステップＳ１００）の後に、部分書き込み工程を複数回繰り返して行ってもよい。例えば、直前に表示されていた内容の一部を打ち消す内容を書き込む部分書き込み工程と、その後に新たな内容の一部を書き込む部分書き込み工程との組み合わせを１セットとして行ってもよい。また、１セットを複数回繰り返してもよい。
【００９６】
図８に示す表示例では、まず、表示例（Ｋ）の分の１桁目の「０」の黒文字部分に、「０」の白文字を書き込む部分書き込み工程を行うことで、表示例（Ｌ）に示すように、分の１桁目の黒文字を消去する。次に、分の１桁目に「１」の黒文字を書き込む部分書き込み工程を行うことで、表示例（Ｍ）に示すように、背景を白として、１０時１分を示す「１０：０１」を黒文字で表示させる。
【００９７】
同様に、表示例（Ｍ）の分の１桁目の「１」の黒文字部分に、「１」の白文字を書き込む部分書き込み工程を行うことで、表示例（Ｎ）に示すように、分の１桁目の黒文字を消去する。次に、分の１桁目に「２」の黒文字を書き込む部分書き込み工程を行うことで、表示例（Ｏ）に示すように、背景を白として、１０時２分を示す「１０：０２」を黒文字で表示させる。
【００９８】
以後同様に、分の１桁目の黒文字に白文字を書き込むことで黒文字を消去した後に、新たな黒文字を書き込むことで表示内容の更新を繰り返し、表示例（Ｐ）に示すように、背景を白として、１０時９分を示す「１０：０９」を黒文字で表示させ、「Ａｌａｒｍ  ｏｆｆ」の文字をダークグレーで表示させる。
【００９９】
次に、電気泳動表示パネル１０に表示されている内容を反転した内容を表示させるように、電気泳動表示パネル１０の全ての表示領域に書き込みパルスを印加する反転書き込み工程（ステップＳ１０４）を行う。反転書き込み工程においては、表示領域に第１色及び第２色を書き込む書き込みパルスを印加する工程と、第２色が表示されている表示領域に、第１色と第２色との中間色を書き込む書き込みパルスを印加する工程とを行う。
【０１００】
図８に示す表示例では、電気泳動表示パネル１０に表示例（Ｐ）が表示されているので、表示例（Ｐ）を反転し、背景を黒として、１０時９分を示す「１０：０９」を白文字で表示し、「Ａｌａｒｍ  ｏｆｆ」の文字をライトグレーで表示する表示例（Ｒ）を表示させるように反転書き込み工程（ステップＳ１０４）を行う。
【０１０１】
そのため、まず、表示例（Ｑ）に示すように、背景を黒として、１０時９分を示す「１０：０９」を白文字で表示させる。次に、表示例（Ｒ）に示すように、黒で表示されている背景部分の表示領域に、「Ａｌａｒｍ  ｏｆｆ」の文字をライトグレーで表示させる。
【０１０２】
次に、反転書き込み工程（ステップＳ１０４）の後に、反転書き込み工程（ステップＳ１０４）の直前に電気泳動表示パネルに表示されていた内容とは異なる内容を表示させるように全面書き込み工程（ステップＳ１００）を行ってもよい。
【０１０３】
図８に示す表示例では、反転書き込み工程（ステップＳ１０４）の直前には、背景を白として、１０時９分を示す「１０：０９」を黒文字で表示し、「Ａｌａｒｍ  ｏｆｆ」の文字をダークグレーで表示する表示例（Ｐ）が表示されているので、表示例（Ｐ）とは異なる、背景を白として、１０時１０分を示す「１０：１０」を黒文字で表示し、「Ａｌａｒｍ  ｏｆｆ」の文字をダークグレーで表示する表示例（Ｔ）を表示させるように全面書き込み工程（ステップＳ１００）を行っている。
【０１０４】
このため、図８に示す表示例では、まず、表示例（Ｓ）に示すように、背景を白として、１０時１０分を示す「１０：１０」を黒文字で表示させる。次に、表示例（Ｔ）に示すように、白で表示されている背景部分の表示領域に、「Ａｌａｒｍ  ｏｆｆ」の文字をダークグレーで表示させる。
【０１０５】
その後、上述の手順と同様に、電気泳動表示パネル１０の一部の表示領域に書き込みパルスを印加する部分書き込み工程（ステップＳ１０２）以降を繰り返す。
【０１０６】
図８に示す表示例では、表示例（Ｔ）の分の１桁目の「０」の黒文字部分に、「０」の白文字を書き込む部分書き込み工程を行うことで、表示例（Ｕ）に示すように、分の１桁目の黒文字を消去する。次に、分の１桁目に「１」の黒文字を書き込む部分書き込み工程を行うことで背景を白として、１０時１１分を示す「１０：１１」を黒文字で表示する（図示せず）。
【０１０７】
このように、図５に示す手順を行うことによって、電気泳動表示パネル１０に表示される内容が図８に示す表示例となる場合に、各表示領域においてＤＣバランスが保たれる理由について説明する。なお、既に説明したように、電気泳動表示パネル１０の表示領域に正の書き込みパルスが印加された場合には、表示領域の表示色は黒側に変化し、負の書き込みパルスが印加された場合には、表示領域の表示色は白側に変化するものとする。
【０１０８】
まず、図８に示す表示例における背景部分の表示領域、「分」以外の文字部分の表示領域、「分」の文字部分の表示領域については、第１実施形態において説明した理由により、ＤＣバランスを確保している。
【０１０９】
次に、中間色で表示された「Ａｌａｒｍ  ｏｆｆ」の文字部分の表示領域について説明する。全面書き込み工程（ステップＳ１００）により、表示例（Ｊ）となる場合には、「Ａｌａｒｍ  ｏｆｆ」の文字部分の表示領域には、負の書き込みパルスが印加され、その後、表示例（Ｋ）となる場合には、「Ａｌａｒｍ  ｏｆｆ」の文字部分の表示領域には、中間色表示用の正の書き込みパルスが印加される。
【０１１０】
その後、表示例（Ｌ）〜（Ｐ）へと表示内容が更新されても、部分書き込み工程（ステップＳ１０２）によっては、「Ａｌａｒｍ  ｏｆｆ」の文字部分の表示領域には書き込みパルスは印加されていない。
【０１１１】
その後、表示例（Ｑ）へと表示内容が更新された場合に、反転書き込み工程（ステップＳ１０４）によって、「Ａｌａｒｍ  ｏｆｆ」の文字部分には正の書き込みパルスが印加され、その後、表示例（Ｒ）となる場合には、「Ａｌａｒｍ  ｏｆｆ」の文字部分には中間色表示用の負の書き込みパルスが印加される。よって、表示例（Ｊ）〜（Ｒ）までの間に、正の書き込みパルスが印加される工程が１ステップ、負の書き込みパルスが印加される工程が１ステップ、中間色表示用の正の書き込みパルスが印加される工程が１ステップ、中間色表示用の負の書き込みパルスが印加される工程が１ステップ含まれている。したがって、「Ａｌａｒｍ  ｏｆｆ」の文字部分の表示領域は、表示例（Ｊ）〜（Ｒ）までの１０分毎にＤＣバランスを確保している。
【０１１２】
さらに、中間色表示用の正の書き込みパルスにより表示領域に印加される電圧の大きさ及び時間と、中間色表示用の負の書き込みパルスにより表示領域に印加される電圧の大きさ及び時間とを等しくすることにより、より精度よくＤＣバランスを確保することができる。
【０１１３】
したがって、電気泳動表示パネル１０の各表示領域は、いずれも表示例（Ｊ）〜（Ｒ）までの１０分毎にＤＣバランスを確保している。
【０１１４】
このように、全面書き込み工程において、表示領域に第１色及び第２色を書き込む書き込みパルスを印加する工程と、第１色が表示されている表示領域に、第１色と第２色との中間色を書き込む前記書き込みパルスを印加する工程とを行い、反転書き込み工程において、表示領域に第１色及び第２色を書き込む書き込みパルスを印加する工程と、第２色が表示されている表示領域に、第１色と第２色との中間色を書き込む書き込みパルスを印加する工程とを行うことにより、中間色を含む内容を表示させる場合においてもＤＣバランスを確保することができる。これにより電気泳動表示パネルの信頼性を向上させることができる。また、反転書き込み工程と全面書き込み工程により、表示領域全体について表示を更新するため、表示品質を確保することができる。
【０１１５】
加えて、本実施形態によれば、第１実施形態において説明した理由により、時刻表示を行う電気泳動表示パネルにおいて、従来よりも短時間で時刻表示の更新ができる。さらに、従来例に比べて、表示内容が短時間で劇的に変化するので、時刻表示の変化が直感的に判りやすくなる。
【０１１６】
なお、前述した白と黒とによる表示を反転した場合、つまり、背景を黒とし、時刻表示を白文字で表示した場合であっても第２実施形態と同様な効果が得られる。
【０１１７】
３．電子機器
図９（Ａ）〜図９（Ｃ）は、本実施形態に係る電子機器の構成例である。図９（Ａ）は携帯電話３０００、図９（Ｂ）は腕時計４０００、図９（Ｃ）はノートパソコン５０００である。
【０１１８】
本実施形態に係る携帯電話３０００、腕時計４０００及びノートパソコン５０００は、それぞれ電気泳動表示装置１を含み、電気泳動表示装置１の電気泳動表示パネル１０を表示部１１００として用いている。
【０１１９】
これにより、表示品質を確保しつつ、ＤＣバランスを確保することにより電気泳動表示パネルの信頼性を向上させた電子機器が実現できる。
【０１２０】
なお、本発明は本実施の形態に限定されず、本発明の要旨の範囲内で種々の変形実施が可能である。
【０１２１】
本発明は、実施の形態で説明した構成と実質的に同一の構成（例えば、機能、方法および結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【０１２２】
例えば、本発明をセグメント方式の電気泳動表示パネルに適用することも可能である。セグメント方式の電気泳動表示パネルにおける動作は、図２〜図８を用いて説明した動作で、画素電極をセグメント電極に置き換えた動作と同様であり、アクティブマトリクス方式の電気泳動表示パネルを用いた場合と同様の効果を奏する。
【符号の説明】
【０１２３】
１  電気泳動表示装置、１０  電気泳動表示パネル、１１  共通電極、１２Ａ〜１２Ｃ  画素電極（駆動電極）、１４  基板、１５  対向基板、２０  制御部、２２  全面書き込み制御手段、２４  部分書き込み制御手段、２６  反転書き込み制御手段、３０  時計部、１０１  走査線、１０２  データ線、１０３  ＴＦＴ素子、１１０  共通電極層、１２０  駆動電極層、１３０  電気泳動表示層、１３１  電気泳動素子、１３２  白粒子、１３３  黒粒子、２０１  走査線駆動回路、２０２  データ線駆動回路、２０３  共通電極駆動回路、１１００  表示部、３０００  携帯電話、４０００  腕時計、５０００  ノートパソコン
【図１】
2011095479.tif 000003
【図２】
2011095479.tif 000004
【図３】
2011095479.tif 000005
【図４】
2011095479.tif 000006
【図５】
2011095479.tif 000007
【図６】
2011095479.tif 000008
【図７】
2011095479.tif 000009
【図９】
2011095479.tif 000010
【図８】
2011095479.tif 000011